(57)【要約】【課題】少子化及び核家族化により少なくなった家族間などのコミュニケーションを促進し、また、安易な商品の購入を防止する。【解決手段】本発明においては、商品購入希望者１０１が購入を希望する商品を示す購入希望商品情報を承認者に伝達し、承認者１０２は商品の購入を承認するか、しないか、を表わす承認結果情報を入力し、その承認結果情報に基づいて決定サーバ装置１０３において商品の購入の決定を行なう。商品購入希望者が、その近況などを知らせるメッセージや動画情報を購入希望商品情報に添付することにより、承認者は商品購入希望者の近況などを知ることができる。また、承認結果情報に承認者１０２のメッセージなどを添付して商品とともに商品購入希望者１０１へ発送することにより、商品購入希望者１０１と承認者１０２とのコミュニケーションを促進することができる。【選択図】　図１
2004110307.tif 000002
【特許請求の範囲】
【請求項１】
一以上の端末と決定サーバ装置とを備えた電子的購買システムであって、
前記端末は、
購入が希望される商品を示す情報である購入希望商品情報を表示する購入希望商品表示部と、
前記購入希望商品情報により示される商品の購入を承認するか承認しないかを表す承認結果情報の入力を受け付ける承認結果受付部と、
前記決定サーバ装置に対して前記承認結果情報を送信する承認結果送信部と、
を備え、
前記決定サーバ装置は、
承認結果情報を受信する承認結果受信部と、
前記承認結果受信部で受信した承認結果情報に基づいて商品の購入の決定を行なう決定部と、
を備えた電子的購買システム。
【請求項２】
前記決定サーバ装置の決定部は、商品の購入の決定を行なうための条件である購入決定条件を保持する決定条件保持手段を備え、前記決定条件保持手段にて保持されている条件に基づいて商品の購入の決定を行なうことを特徴とする請求項１に記載の電子的購買システム。
【請求項３】
前記端末は、商品の購入を希望する者のランクを決定するための情報である購入希望者ランク情報を取得する購入希望者ランク情報取得部と、
購入希望者ランク情報を送信する購入希望者ランク送信部と、
を備え、
前記決定サーバ装置は、
前記端末から購入希望者ランク情報を受信するランク受信部と、
購入を希望する商品のランクを示す情報である希望商品ランク情報を取得する希望商品ランク取得部と、
を備え、
前記決定条件保持手段は、前記希望商品ランク情報と、前記購入希望者ランク情報とに基づいて購入の決定をするための条件であるランク購入決定条件を保持する請求項２に記載の電子的購買システム。
【請求項４】
前記決定サーバ装置は、前記決定部での商品の購入の決定に関する情報の履歴である決定履歴を蓄積する決定履歴蓄積部を備える請求項３に記載の電子的購買システム。
【請求項５】
前記決定サーバ装置は、前記決定履歴蓄積部に蓄積された決定履歴を送信する履歴情報送信部を備え、
前記端末は、前記決定サーバ装置から送信される決定履歴を受信する履歴受信部を備え、
前記購入希望者ランク情報取得部は、前記決定履歴に基づいて購入希望者ランク情報を取得することを特徴とする請求項４に記載の電子的購買システム。
【請求項６】
前記端末の購入希望者ランク情報取得部は、購入希望者に関する情報である購入希望者情報に基づいて前記購入希望者ランク情報を取得する請求項３に記載の電子的購買システム。
【請求項７】
前記端末は、
購入することが可能な商品のランクを示す情報である購入可能商品ランク情報を取得するランク取得部と、
前記ランク取得部で取得された購入可能商品ランク情報を送信するランク送信部と、
を備え、
前記決定サーバ装置は、
購入可能商品ランク情報を受信するランク受信部と、
購入を希望する商品のランクを示す情報である購入希望商品ランク情報を取得する購入希望商品ランク取得部と、
を備え、
前記決定条件保持手段は、購入決定条件として、前記購入可能商品ランク情報と前記購入希望商品ランク情報とに基づいて商品の購入の決定をするための条件を保持する請求項２に記載の電子的購買システム。
【請求項８】
前記端末は、複数あり、
少なくともそのうちの一の端末である第一端末は、購入を希望する商品の選定を行なう商品選定部を有し、
少なくともそのうちの一の端末である第二端末は、他の端末にて入力を受け付けられた承認結果情報に基づいてさらにその承認結果情報を承認するための情報である第二承認結果情報の入力を受け付けるための第二承認結果情報受付部を有し、
前記承認結果送信部は、承認結果情報に替えて第二承認結果情報を送信する請求項１から７のいずれか一に記載の電子的購買システム。
【請求項９】
請求項１に記載の電子的購買システムに備えられる決定サーバ装置であって、
前記決定部は、商品の購入の決定を行なうための条件である購入決定条件を保持する決定条件保持手段を備え、前記決定条件保持手段にて保持されている条件に基づいて商品の購入の決定を行なうことを特徴とする決定サーバ装置。
【請求項１０】
商品の購入を希望する者のランクを決定するための情報である購入希望者ランク情報を受信するランク受信部と、
購入を希望する商品のランクを示す情報である希望商品ランク情報を取得する希望商品ランク取得部と、
を備え、
前記決定条件保持手段は、前記希望商品ランク情報と、前記購入希望者ランク情報とに基づいて購入の決定をするための条件であるランク購入決定条件を保持する請求項９に記載の決定サーバ装置。
【請求項１１】
前記決定部での商品の購入の決定に関する情報の履歴である決定履歴を蓄積する決定履歴蓄積部を備える請求項１０に記載の決定サーバ装置。
【請求項１２】
前記決定履歴蓄積部で蓄積された決定履歴を送信する履歴情報送信部を備える請求項１１に記載の決定サーバ装置。
【請求項１３】
購入することが可能な商品のランクを示す情報である購入可能商品ランク情報を受信するランク受信部と、
購入を希望する商品のランクを示す情報である購入希望商品ランク情報を取得する購入希望商品ランク取得部と、
を備え、
前記決定条件保持手段は、購入決定条件として、前記購入可能商品ランク情報と前記購入希望商品ランク情報とに基づいて商品の購入の決定をするための条件を保持することを特徴とする請求項９に記載の決定サーバ装置。
【請求項１４】
請求項１に記載の電子的購買システムに備えられる端末であって、
商品の購入を希望する者のランクを決定するための情報である購入希望者ランク情報を取得する購入希望者ランク情報取得部と、
前記購入希望者ランク情報を送信する購入希望者ランク送信部と、
を備える端末。
【請求項１５】
商品の購入に関する情報の履歴である決定履歴を受信する履歴受信部を備え、
前記購入希望者ランク情報取得部は、前記決定履歴に基づいて購入希望者ランク情報を取得することを特徴とする請求項１４に記載の端末。
【請求項１６】
前記購入希望者ランク情報取得部は、購入希望者に関する情報である購入希望者情報に基づいて前記購入希望者ランク情報を取得することを特徴とする請求項１４に記載の端末。
【請求項１７】
購入することが可能な商品のランクを示す情報である購入可能商品ランク情報を取得するランク取得部と、
前記ランク取得部で取得された購入可能商品ランク情報を送信するランク送信部と、
を備える請求項１４に記載の端末。
【請求項１８】
購入が希望される商品を示す情報である購入希望商品情報を表示する購入希望商品表示ステップと、
前記購入希望商品表示ステップにて示される商品の購入の可否を定める承認の結果を表す承認結果情報の入力を受け付ける承認結果受付ステップと、
前記承認結果受付ステップにて受け付けられた承認結果情報に基づいて商品の購入の決定を行なう決定ステップと、
を含む購買決定方法。
【請求項１９】
商品の購入の決定を行なうための条件である決定条件を取得する決定条件取得ステップを含み、
前記決定ステップでは、前記決定条件取得ステップで取得された条件に基づいて商品の購入の決定が行なわれることを特徴とする請求項１８に記載の購買決定方法。
【請求項２０】
商品の購入を希望する者のランクを決定するための情報である購入希望者ランク情報を取得する購入希望者ランク情報取得ステップと、
購入を希望する商品のランクを示す情報である希望商品ランク情報を取得する希望商品ランク取得ステップと、
を含み、
前記決定条件取得ステップでは、前記希望商品ランク情報と、前記購入希望者ランク情報と、に基づいて購入の決定をするための条件であるランク購入決定条件を取得することを特徴とする請求項１９に記載の購買決定方法。
【請求項２１】
前記決定条件取得ステップは、商品の購入の仮決定を行なうための条件である仮決定条件をも取得し、
前記決定ステップでは、前記決定条件取得ステップで取得された仮決定条件に基づいて商品の購入の仮決定が行なわれることを特徴とする請求項２０に記載の購買決定方法。
【請求項２２】
前記承認結果受付ステップは、前記決定ステップで行なわれた仮決定に基づいて前記承認結果情報を受け付けることを特徴とする請求項２１に記載の購買決定方法。
【請求項２３】
前記承認結果情報には、前記決定ステップで購入が決定される商品に添付されて購入希望者に提示されるべきメッセージを含むことを特徴とする請求項２２に記載の購買決定方法。
【請求項２４】
前記承認結果受付ステップは、端末より承認結果情報を受け付け、前記承認結果情報には、その承認結果情報を受け付けた端末を識別する識別情報が含まれ、
前記決定条件取得ステップでは、識別情報に関連付けられた決定条件が取得されることを特徴とする請求項１８に記載の購買決定方法。
【請求項２５】
前記承認結果情報は、その承認結果情報の入力を行なう人と、その承認に基づいてなされるべき購入の決定のために利用される他の承認結果情報の入力を行なう人との人的関係を示す情報である人的関係情報を含み、
前記決定条件取得ステップでは、前記人的関係情報に基づいて商品の購入の決定を行なうための条件が取得される請求項１９に記載の購買決定方法。
【請求項２６】
前記決定条件取得ステップは、商品の購入を可とする承認結果情報の数と商品の購入を否とする承認結果情報の数との関係に基づいて商品の購入の決定を行なうための条件を取得することを特徴とする請求項１９に記載の購買決定方法。
【請求項２７】
前記決定条件取得ステップは、商品の購入を可とする承認結果情報と商品の購入を否とする承認結果情報とに割り当てられたポイントに基づいて商品の購入の決定を行なうための条件を取得することを特徴とする請求項１９に記載の購買決定方法。
【請求項２８】
前記決定条件取得ステップは、承認結果情報の送信を促すための情報である催促情報を承認主体に対して送信する規則である催促送信規則を取得することを特徴とする請求項１９に記載の購買決定方法。
【請求項２９】
前記催促送信規則は、催促情報を承認主体へ順次に送信する規則を含む請求項２８に記載の購買決定方法。
【請求項３０】
前記催促送信規則は、催促情報を承認主体へ一斉に送信する規則を含む請求項２８に記載の購買決定方法。
【発明の詳細な説明】
【０００１】
【発明の属する技術分野】
本発明は、物の購買のためのシステム、サーバ装置、端末及び方法に関するものである。
【０００２】
【従来の技術】
従来、物の購買のためのシステムなどとしては、会社などにおいて、ワークフローを設定し、稟議書を関係者に電子的に閲覧させて決定を行なうシステムがある（例えば、非特許文献１参照。）。
【０００３】
また、コミュニケーションを促進するためのシステムや端末として、電話や携帯電話がある。特に、最近では、動画の送受信がリアルタイムで可能な携帯電話が提供されている。
【０００４】
【非特許文献１】
株式会社リコー、“稟議書”、〔ｏｎｌｉｎｅ〕、平成１４年４月１９日、〔平成１４年９月１０日検索〕、インターネット＜ＵＲＬ：ｈｔｔｐ：／／ｗｗｗ．ｒｉｃｏｈ．ｃｏ．ｊｐ／ＩＴＳ／ＲＧＯ／ｒｉｎｇｉ．ｈｔｍｌ＞
【発明が解決しようとする課題】
携帯電話などが人々に受け入れられるようになった原因の一つとしては、核家族化に伴い、親族でありながら、遠くに居住しているため、なかなか会うことができない人が多く発生していることが挙げられる。特に、高齢社会の到来と少子化社会の到来により、自分の孫とコミュニケーションをとりたがっている人は多い。
【０００５】
しかし、単に孫に携帯電話などを持たせても、契機となるものが無いとコミュニケーションを取ることが困難である。そこで、孫がその祖父母とコミュニケーションを取ると、祖父母が孫の欲しい物を褒美として買い与えるようにすることが考えられるが、祖父母が孫を溺愛するあまり、高価過ぎるものを買い与えてしまったりするという問題が発生することがあり得る。
【０００６】
このような問題の発生を予防するために、孫の親の監視により高価過ぎる褒美を抑制する必要がある。このために、上記のワークフローのシステムを用いて孫の親の承認を取るようにすることが考えられるが、孫の親は自分の子であり、自分の子に稟議書のようなものを書いて伺いを立てることは、通常の人間にとっては、自尊心が傷ついてしまうことである。
【０００７】
【課題を解決するための手段】
このような課題を解決するための本発明では、購入を希望する商品を示す情報を表示し、その商品の購入を承認するかどうかを表わす情報の入力を受け付け、それを送信する端末と、端末から送信された承認をするかどうかを表わす情報を受信し、その情報に基づいて商品の購入の決定を行なう決定サーバ装置と、からなる電子的購買システムを提供する。
【０００８】
これにより、祖父母が孫を溺愛するあまり、高価過ぎる物の購入を承認しても、決定サーバ装置により購入の決定がされないようにすることができる。
【０００９】
また、決定サーバ装置は購入の決定を行なう条件を保持する手段を備えるようになっていてもよい。これにより、あらかじめ条件を親が設定することにより、祖父母による孫の溺愛による暴走を食い止めることができる。
【００１０】
また、端末は、商品の購入を希望する孫のランクを決定するための情報を取得し、それを決定サーバ装置へ送信するようにし、決定サーバ装置において、その情報と購入を希望する商品のランクとに基づいて購入の決定を行なう条件を保持するようにしてもよい。これにより、ランクを決定するための情報が孫から祖父母へ送られるようになり、コミュニケーションが促進されるようになる。
【００１１】
また、決定サーバ装置は、購入の決定の履歴を蓄積するようにしてもよい。これにより、これまでに購入の決定の履歴を参考にして、次回の購入の承認や決定を行なうことができる。
【００１２】
なお、以上の説明において、孫、親、祖父母を用いて説明したが、特に、直系親族の場合に限定される必要性はなく、親族関係に無い人の間に本発明を適用することも可能である。
【００１３】
【発明の実施の形態】
以下、本発明の実施の形態について、図を用いて説明する。なお、本発明はこれら実施形態に何ら限定されるものではなく、その要旨を逸脱しない範囲において、種々なる態様で実施し得る。
【００１４】
（本発明の概念）
図１から図５までは、本発明の概念を説明する図である。図１は、情報や商品の流れを示し、図２は、システムの全体を示す。また、図３は、処理の概要を説明する流れ図であり、図４は、シーケンス図である。図５は、本発明の実施のためのデータ構造の一例を示す。
【００１５】
図１において、商品購入希望者１０１は、商品の購入を承認する承認者１０２へ購入を希望する商品を示す情報である購入希望商品情報を送信する。この送信は、商品購入希望者１０１の持つ端末などから、承認者１０２の持つ端末などへ、直接行なわれてもよいし、決定サーバ装置１０３などのサーバ装置により中継がされて送信されるようになっていてもよい。
【００１６】
承認者１０２は、購入希望商品情報の表示に基づき、その商品の購入を承認するかどうかを判断し、承認するか承認しないかを表す承認結果情報を決定サーバ装置１０３へ送信する。決定サーバ装置１０３は、承認結果情報に基づいて商品の購入の決定を行なう。もし決定サーバ装置１０３において、商品の購入が決定されたならば、商店等１０４に商品発送依頼が送信され、商品が商品購入希望者１０１へ発送される。
【００１７】
なお、決定サーバ装置１０３は、商品購入希望者１０１のランクを決定するための情報である購入希望者ランク情報を受信し、それに基づいて商品の購入の決定を行なうようになっていてもよい。
【００１８】
また、ここでいう商品は、物（有体物）である必然性はなく、例えば、携帯電話の利用などに例示されるサービスの利用であってもよい。すなわち、商品購入希望者１０１は、あるサービスの利用を希望し、そのサービスの情報を承認者１０２へ送信し、承認者１０２は、そのサービスの利用の承認を行い、決定サーバ装置１０３において、サービスの利用の決定を行なうようになっていてもよい。
【００１９】
図２は、本発明のシステム構成の一例を示す。端末２０１、２０２、２０３は、承認者が承認結果情報を入力するための端末である。また、商品購入希望者１０１が、その購入を希望する商品の情報を入力するようになっていてもよい。端末２０１、２０２、２０３は、移動体通信網２０４と無線により通信ができ、網間接続装置２０５を介して接続される固定電気通信網２０６に接続される決定サーバ装置２０７へ承認結果情報を送信することができる。
【００２０】
決定サーバ装置２０７にて、商品の購入の決定がされると、同じく固定電気通信網２０６に接続されている発送業者サーバ装置２０８へ、決定の通知が送信され、商品購入希望者に対して商品の発送が行なわれる。また、発送業者サーバ装置２０８がサービスの提供業者の管理するものであれば、商品購入希望者にサービスが提供されたり、商品購入希望者によるサービスの利用が可能となったりなる。
【００２１】
なお、決定サーバ装置２０７、発送業者サーバ装置２０８は固定電気通信網２０６に接続されている必然性はなく、移動体通信網２０４に接続されていてもよい。
【００２２】
図３は、本発明における処理の流れの一例を示したフローチャートである。まず、商品購入希望者のランクを決定する（ステップＳ３０１）。このランクは、例えば、商品購入希望者の学校の成績や運動会における成績、親の言うことをどの程度聞いているか、などに基づいて、承認者や決定サーバ装置にて決定される。次に、商品購入希望者は、購入を希望する商品のリストを照会する（ステップＳ３０２）。この照会を行なった結果、商品購入希望者が商品を決定し、決定サーバ装置などにその決定を通知すると、その決定サーバ装置などで条件に合致しているかなどの判断が行なわれ、商品の購入の仮決定が行なわれる（ステップＳ３０３）。この仮決定の結果は、仮決定通知として、承認者へ通知される（ステップＳ３０４）。承認者が承認結果情報を送信すると、それらは決定サーバ装置にて受信される（ステップＳ３０５）。なお、この承認結果情報には、商品購入希望者に対するメッセージが付与されていてもよい。決定サーバ装置において、承認結果情報に基づいて、商品の購入をするかどうかの決済承認を行なう（ステップＳ３０６）。もし、決済承認をするならば、ステップＳ３０７において、商品発送依頼通知を行なう。もし、承認結果情報にメッセージが付与されている場合には、そのメッセージが付与された商品発送依頼通知が行なわれ、商品にそのメッセージが付与されて発送される。
【００２３】
図４は、図３のフローチャートにおけるステップＳ３０２からステップＳ３０５までのデータの交換の様子を例示するシーケンス図である。ステップＳ４０１において、商品購入希望者の端末より商品リスト照会が決定サーバ装置に対して行なわれ、その応答がステップＳ４０２として行なわれる。この照会と応答が何度か繰り返され、商品購入希望者が商品の選択を行なうと、その選択が決定サーバ装置に送信され（ステップＳ４０３）、決定サーバ装置にて仮決定がされる。仮決定がされると、仮決定通知が承認者の端末へ送信され（ステップＳ４０４）、承認結果情報が返信される（ステップＳ４０５）。
【００２４】
図５は、決定サーバ装置において本発明を実施するために登録される情報の一例を模式的に表わす図である。この情報は、商品購入希望者ごとに登録され、登録情報番号、発信者番号、被処理者種別、発信者名、家族情報、商品ランク情報などから構成される。「登録情報番号」は、登録情報を一意に識別するための番号である。例えば、登録情報をデータベースに格納する場合の主キーとなる。「発信者番号」は、端末を特定する番号である。「被処理者種別」は決定サーバ装置が処理をする相手を示す情報である。例えば、商品購入希望者や承認者の家族構成における関係を表わす。「発信者名」は、端末を所持する者の名前を示す。「家族情報」は、家族を特定するための情報である。「商品ランク情報」は、例えば、商品購入希望者が購入を希望する商品のランクを表わし、承認者が承認結果情報を決定する際の参考などになる。
【００２５】
（請求項と実施形態との対応）
本明細書においては、それぞれの請求項の番号と実施形態の番号とが対応するようにしている。そのため、実施形態の番号が順不同に現れる場合がある。
【００２６】
（実施形態１）
本発明の実施形態１においては、商品購入希望者などにより購入が希望される商品を表示し、それに基づいて承認結果情報を受け付け、商品の購入の決定を行なう電子的購買システムが提供される。
【００２７】
（実施形態１：構成）
図６は、本実施形態における電子的購買システムの機能ブロック図を例示する。図６において、電子的購買システム６００は、一以上の端末６０１と決定サーバ装置６０２とを備えている。
【００２８】
（実施形態１：端末の構成）
図７は、端末６０１の機能ブロック図を例示する。端末６０１は、購入希望商品表示部７０１と、承認結果受付部７０２と、承認結果送信部７０３と、を備える。
【００２９】
「購入希望商品表示部」７０１は、購入希望商品情報を表示する。「購入希望商品情報」とは、購入が希望される商品を示す情報である。「購入が希望される」とは、商品購入希望者などが購入を希望していることを意味する。なお、本明細書においては、「商品」とは、物品のみならず、サービスを含むものとし、「購入が希望されるサービス」とは、利用が希望されるサービス、または、提供されることが希望されるサービスを意味するものとする。また、購入が希望される商品が購入される場合には、その商品は商品購入希望者に配送／提供されてもよいし、別の第三者に配送／提供されてもよい。
【００３０】
購入希望商品表示部７０１における購入希望商品情報の表示の態様としては、例えば、文字情報により商品の名前や型番を表示するもの、イメージデータにより商品の概観を表示するもの、商品に関するハイパーリンクを表示するもの、などがある。
【００３１】
「承認結果受付部」７０２は、承認結果情報の入力を受け付ける。「承認結果情報」とは、前記購入希望商品情報により示される商品の購入を承認するか承認しないかを表わす情報である。「前記購入希望商品情報により示される商品」とは、購入希望商品表示部７０１により購入希望商品情報が表示された商品を意味する。
【００３２】
「承認結果送信部」７０３は、決定サーバ装置６０２に対して前記承認結果情報を送信する。「前記承認結果情報」とは、承認結果受付部７０２にて受け付けられた承認結果情報を意味する。
【００３３】
（実施形態１：端末の具体例）
端末６０１の具体例としては、例えば、携帯電話を挙げることができる。図８は、このような携帯電話を例示している。画面８０１は、購入希望商品表示部７０１を構成し、テンキーなどは、承認結果受付部７０２を構成し、アンテナ８０２は承認結果送信部７０３を構成する。携帯電話にソフトウェアをダウンロードすることにより、本実施形態の端末として動作させることが可能である。
【００３４】
また、別の具体例としては、テレビ受像機に通信用のセットトップボックスを接続したもの、あるいは、パーソナルコンピュータ（ノートブック型、デスクトップ型を含む）などを挙げることができる。
【００３５】
（実施形態１：端末の処理）
図９は、本実施形態における端末６０１における処理を説明するフローチャートを例示する。携帯電話にソフトウェアをダウンロードして端末６０１が実現される場合や、パーソナルコンピュータでソフトウェアを動作させて端末６０１が実現される場合には、そのソフトウェアにおける処理を説明することになる。
【００３６】
ステップＳ９０１において、購入希望商品情報を、購入希望商品表示部７０１にて、表示する。ステップＳ９０２においては、承認結果情報の入力を、承認結果受付部７０２にて、受け付ける。ステップＳ９０３においては、承認結果情報を、承認結果送信部７０３にて、送信する。
【００３７】
なお、図９は、処理の一例を示しているのであり、図９に示した処理の流れに限定して解釈される必然性はない。図９では、ステップＳ９０１の購入希望商品情報の表示から処理が始まり、ステップＳ９０３の承認結果情報の送信で処理が終了しているが、ステップＳ９０１からステップＳ９０３までが繰り返し行なわれるようにループを形成していてもよい。また、ステップＳ９０１の実行の前に、購入希望商品情報を受信するステップが実行されるようになっていてもよい。また、ステップＳ９０２において、承認結果情報の入力を受け付ける前に、商品購入希望者に電話や電子メールにより連絡を取ることが行なわれてもよい。
【００３８】
（実施形態１：決定サーバ装置の構成）
図１０は、本実施形態における決定サーバ装置の機能ブロック図を例示している。決定サーバ装置６０２は、承認結果受信部１００１と、決定部１００２と、を備えている。
【００３９】
「承認結果受信部」１００１は、承認結果情報を受信する。例えば、図２に示すように決定サーバ装置が固定電気通信網２０６に接続されている場合には、固定電気通信網２０６を介して端末より送信される承認結果情報を受信する。このとき、図５に例示した登録情報の発信者番号により、誰からの承認結果情報であるかを算出するようにしてもよい。
【００４０】
「決定部」１００２は、承認結果受信部１００１で受信した承認結果情報に基づいて商品の購入の決定を行なう。「基づいて」とは、受信した承認結果情報が商品の購入の決定に影響を及ぼしていることを意味する。例えば、承認結果情報の全数のうち、購入を承認する承認結果情報の数が、購入を承認しないものの数よりも多ければ、購入を決定する。また、承認結果情報を受け付けさせた承認者に重み付けを行い、その重み付けの合計値などの算出結果により購入を決定するようにしてもよい。また、決定部１００２は、承認結果受信部１００１で受信された承認結果情報の表示などを行い、それに対して入力される情報に従って、商品の購入の決定を行なうようにしてもよい。
【００４１】
（実施形態１：決定サーバ装置の処理）
図１１は、本実施形態における決定サーバ装置６０２における処理を説明するフローチャートを例示する。ステップＳ１１０１において、承認結果情報を、承認結果受信部１００１にて、受信する。ステップＳ１１０２において、商品の購入の決定を、決定部１００２にて、行なう。
【００４２】
なお、図１１は、処理の一例を示しているのであり、図１１に示した処理の流れに限定して解釈される必然性はない、図１１では、ステップＳ１１０１から始まり、ステップＳ１１０２で処理が終了しているが、ステップＳ１１０１とステップＳ１１０２とを繰り返し実行されるような処理が行なわれてもよい。また、ステップＳ１１０２にて、商品の購入の決定がされた場合に、商品の発送の依頼を示す情報が送信されるようになっていてもよい。
【００４３】
（実施形態１：主な効果）
本実施形態の電子的購買システムによれば、例えば、商品購入希望者を孫とし、孫が購入を希望する商品の購入を承認するかどうかを孫の祖父母とすることにより、核家族が進んだ現代において、孫と祖父母とのコミュニケーションを促進することが可能となる。
【００４４】
（実施形態２及び９）
本発明の実施形態２においては、実施形態１の決定サーバ装置において、商品の購入の決定のための条件が保持される電子的購買システムが提供される。また、実施形態９は、実施形態２の決定サーバ装置に関する。
【００４５】
（実施形態２及び９：決定サーバ装置の構成）
図１２は、本実施形態における決定サーバ装置の機能ブロック図を例示している。本実施形態においては、実施形態１における電子的購買システム６００の決定サーバ装置６０２の決定部１００２が、決定条件保持手段１２０１を備えている。
【００４６】
「決定条件保持手段」１２０１は、購入決定条件を保持する。「購入決定条件」とは、商品の購入の決定を行なうための条件である。例えば、購入の承認の数が一定数以上あれば、購入を決定することを示す条件や、特定の承認者が承認しなければ購入の決定をしないことを示す条件がある。
【００４７】
決定条件保持手段１２０１は、例えば、メモリやハードディスクにより実現される。また、購入決定条件は、受信した承認結果情報を読み取り、購入を決定するかどうかを判断するプログラムにより表現することが可能である。すなわち、引数として承認結果情報を受け取り、購入を決定すれば、それを示す値を返し、購入を決定しなければ、それを示す値を返す。このプログラムは、コンパイルした形式でメモリやハードディスクに保持されていてもよいし、文字列として保持されて、必要に応じてインタープリターにより解釈実行されたり、コンパイルされて実行されたりするようになっていてもよい。また、購入決定条件は、プログラムとしてではなく、購入を決定するプログラムが参照する条件として表現することも可能である。例えば、ＩＦ−ＴＨＥＮ形式の規則を表わすデータとして表現することもできる。また、その場合のプログラムとしては、例えば、いわゆるエキスパートシステムを実現するプログラムを用いることができる。
【００４８】
本実施形態においては、決定部１００２は、決定条件保持手段１２０１にて保持されている条件に基づいて商品の購入を行なうことを特徴とする。
【００４９】
（実施形態２及び９：決定サーバ装置の処理）
したがって、本実施形態においては、図１１に例示したフローチャートのステップＳ１１０２において、決定条件保持手段１２０１から購入決定条件を読み出し、その購入決定条件に基づいて商品の購入の決定を行なうことになる。
【００５０】
（実施形態２及び９：主な効果）
本実施形態によれば、決定条件保持手段１２０１に保持される購入決定条件を変更することが可能となったり、また、複数の購入決定条件を保持して、必要に応じて選択することが可能となったりする。これにより、適切な購入決定条件に基づいて商品の購入の決定を行なうことができる。
【００５１】
（実施形態３、１０及び１４）
本発明の実施形態３は、実施形態２の電子的購買システムにおいて、商品の購入を希望する者のランクを決定し、そのランクと購入が希望される商品のランクとに基づいて購入を決定するようにした電子的購買システムに関する。実施形態１０は、そのような電子的購買システムが備える決定サーバ装置に関し、実施形態１４は、そのような電子的購買システムが備える端末に関する。
【００５２】
（実施形態３、１０及び１４：端末の構成）
図１３は、本実施形態における端末の機能ブロック図を例示する。本実施形態における端末６０１は、実施形態１（あるいは実施形態２）の端末が、購入希望者ランク情報取得部１３０１と、購入希望者ランク送信部１３０２と、をさらに備えたものになっている。
【００５３】
「購入希望者ランク情報取得部」１３０１は、購入希望者ランク情報を取得する。「購入希望者ランク情報」とは、商品の購入を希望する者のランクを決定するための情報である。例えば、商品の購入を希望する者の働きを示す動画データや貢献度を示す資料であったり、商品の購入を希望する者のランクそのものであったりする。この場合のランクとしては、５段階評価、１００点を満点とする評価などがある。
【００５４】
購入希望者ランク情報取得部１３０１が購入希望者ランク情報を取得する態様としては、商品の購入を希望する者の端末から送信される購入希望者ランク情報を受信するもの、媒体などに記録された購入希望者ランク情報を読み取るもの、端末の所持者が入力するもの、などがある。
【００５５】
「購入希望者ランク送信部」１３０２は、購入希望者ランク情報を送信する。ここで送信される購入希望者ランク情報は、購入希望者ランク情報取得部１３０１で取得された購入希望者ランク情報そのものであってもよいし、購入希望者ランク情報取得部１３０１で取得された購入希望者ランク情報により得られた別の購入希望者ランク情報であってもよい。例えば、購入希望者ランク情報取得部１３０１で取得された購入希望者ランク情報が動画データである場合には、その動画データを端末６０１の所持者に表示し、その所持者の判断により入力されたランクを購入希望者ランク送信部１３０２が送信するようになっていてもよい。
【００５６】
（実施形態３、１０及び１４：決定サーバ装置の構成）
図１４は、本実施形態における決定サーバ装置の機能ブロック図を例示する。本実施形態における決定サーバ装置６０２は、実施形態２の決定サーバ装置が、ランク受信部１４０１と、希望商品ランク取得部１４０２と、をさらに備えたものになっている。
【００５７】
「ランク受信部」１４０１は、端末６０１から購入希望者情報を受信する。
【００５８】
「希望商品ランク取得部」１４０２は、希望商品ランク情報を取得する。「希望商品ランク情報」とは、購入を希望する商品のランクを示す情報である。ここに、「購入を希望する」の主体は、商品の購入を希望する者である。「商品のランク」とは、例えば、商品の価格、商品を使用することが想定されている者の年齢、商品の用途や機能、商品の属するカテゴリ、などがある。
【００５９】
本実施形態において、決定条件保持手段１２０１は、希望商品ランク情報と、購入希望者ランク情報と、に基づいて購入の決定をするための条件であるランク購入決定条件を保持することになる。例えば、希望商品ランク情報の範囲と購入希望者ランク情報から得られるランクの範囲とを対応付けておき、その対応付けを満たす場合に商品の購入が決定されるような条件を保持する。
【００６０】
（実施形態３、１０及び１４：購入希望者ランク情報と希望商品ランク情報との対応）
図１５は、登録情報番号ごとに、購入希望者ランク情報と、希望商品ランク情報と、を対応付けて格納している表を例示する。この表において、購入希望者ランク情報と、希望商品ランク情報と、が登録情報番号とに対応付けて格納されている。登録情報番号とは、例えば、図５に例示した登録情報を一意に識別する情報である。購入希望者ランク情報は、ランク受信部１４０１で受信されたものであり、希望商品ランク情報は、希望商品ランク取得部で取得されたものである。決定条件保持手段１２０１に保持された購入決定条件がプログラムによって表わされている場合には、同じ登録情報番号に対応付けられた購入希望者ランク情報と希望商品ランク情報を図５の表より読み出して、購入を決定するかどうかを判断することになる。
【００６１】
（実施形態３、１０及び１４：主な効果）
本実施形態によれば、購入希望者ランク情報と希望商品ランク情報に基づいて商品の購入が決定されるので、商品の購入を希望する者に適合した商品の購入が決定できる。また、端末により取得される購入希望者ランク情報として、商品の購入を希望する者の近況を知らせる動画データなどを用いることにより、商品の購入を希望する者と、承認結果情報の入力を行なう者とのコミュニケーションを促進することができる。
【００６２】
（実施形態４及び１１）
本発明の実施形態４は、実施形態３の電子的購買システムにおいて、商品の購入の決定履歴の蓄積が可能としたものに関する。実施形態１１は、この電子的購買システムの決定サーバ装置に関する。
【００６３】
（実施形態４及び１１：構成）
図１６は、本実施形態における決定サーバ装置の機能ブロック図を例示する。決定サーバ装置６０２は、実施形態３における決定サーバ装置が、さらに決定履歴蓄積部１６０１を備えているものになっている。
【００６４】
「決定履歴蓄積部」１６０１は、決定履歴を蓄積する。ここに「決定履歴」とは、決定部１００２での商品の購入の決定に関する情報の履歴である。例えば、どの商品の購入が決定されたか、あるいは、購入が決定された商品のランクなどが蓄積される。また、購入の決定がされたか、あるいは、決定がされなかったかの履歴が蓄積されてもよい。
【００６５】
図１７は、購入の決定がされたか、あるいは、決定がされなかったかの履歴を、表を用いて蓄積した一例を示す。「決定がされた者」は商品の購入を希望した者の名前が格納される列の名前を示し、「購入希望商品」は、購入を希望した商品の名前が格納される列の名前を示す。この名前は図５に例示した登録情報より得られる。「決定結果」は購入が決定されたか、あるいは、決定がされなかったかの結果が格納される列の名前を示す。「○」は購入が決定されたことを示し、「×」は購入が決定されなかったことを示す。蓄積される履歴は、図１７に示した表に格納されるものに限定されることはなく、決定された日時、決定の理由なども格納されるようになっていてもよい。
【００６６】
（実施形態４及び１１：主な効果）
本実施形態によれば、決定履歴が蓄積されるため、例えば、この蓄積に基づいて、商品の購入を希望する者のランクを決定したりすることができる。
【００６７】
（実施形態５、１２及び１５）
本発明の実施形態５は、実施形態４の電子的購買システムにおいて、決定サーバ装置から決定履歴を送信し、端末でこれを受信して購入希望者ランク情報を取得するようにしたものに関する。実施形態１２は、実施形態５の電子的購買システムの決定サーバ装置に関し、実施形態１５は、実施形態５の電子的購買システムの端末に関する。
【００６８】
（実施形態５、１２及び１５：決定サーバ装置の構成）
図１８は、本実施形態における決定サーバ装置の機能ブロック図を例示する。決定サーバ装置６０２は、実施形態４の決定サーバ装置がさらに履歴情報送信部１８０１を備えたものである。
【００６９】
「履歴情報送信部」１８０１は、決定履歴蓄積部１６０１に蓄積された決定履歴を送信する。この送信のタイミングとしては、例えば、端末より要求があった時などがある。
【００７０】
（実施形態５、１２及び１５：端末の構成）
図１９は、本実施形態における端末の機能ブロック図を例示する。端末６０１は、実施形態１４の端末がさらに履歴受信部１９０１を備えたものである。
【００７１】
「履歴受信部」１９０１は、決定サーバ装置６０２から送信される決定履歴を受信する。
【００７２】
本実施形態においては、購入希望者ランク情報取得部１３０１は、前記決定履歴に基づいて購入希望者ランク情報を取得することを特徴とする。「前記決定履歴」とは、履歴受信部１９０１で受信された決定履歴である。例えば、決定履歴が購入希望者ランク情報そのものであってもよいし、購入希望者ランク情報の中に決定履歴が含まれるようになっていてもよい。また、決定履歴が表示され、それを端末の所持者が認識して、購入希望者ランク情報を端末に入力し、その入力されたものを購入希望者ランク情報取得部１３０１が取得するようになっていてもよい。
【００７３】
（実施形態５、１２及び１５：主な効果）
本実施形態によれば、決定履歴に基づいて購入希望者ランク情報を端末に取得させることができる。これにより、過去に購入を決定された、あるいは、決定されなかった事例に基づき、次の購入希望者ランク情報を端末に取得させ、これに基づいて商品の購入の決定がなされるようにすることができ、商品の購入を希望する者の成長に合わせた購入希望者ランク情報を端末に取得させることができる。
【００７４】
（実施形態６及び１６）
本発明の実施形態６は、購入希望者（すなわち、商品の購入を希望する者）に関する情報に基づいて、購入希望者ランク情報が取得されるようにした電子的購買システムに関する。また、実施形態１６は実施形態６の電子的購買システムに備えられる端末である。
【００７５】
（実施形態６及び１６：端末の構成）
本実施形態は、実施形態３の電子的購買システムの端末の購入希望者ランク情報取得部が、購入希望者情報に基づいて購入希望者ランク情報を取得することを特徴とする。ここに「購入希望者情報」とは、購入希望者に関する情報である。購入希望者情報の例としては、購入希望者の個人属性（年齢、性別、居住地域、家族構成、身長、体重、病歴、運動能力、学力、犯罪歴、学歴、経験職種、旅行歴など）がある。購入希望者情報は、図５に例示した登録情報として決定サーバ装置や端末などに格納される。
【００７６】
購入希望者情報は、そのまま購入希望者ランク情報となったり、購入希望者ランク情報を構成する情報となったりする。また、購入希望者情報が端末の所持者に提示され、その端末の所持者により購入希望者ランク情報が入力されるようになっていてもよい。
【００７７】
（実施形態６及び１６：主な効果）
本実施形態によれば、購入希望者情報に基づいて購入希望者ランク情報が取得されるので、購入希望者のランクを適切に決定することが可能となる。
【００７８】
（実施形態７、１３及び１７）
本発明の実施形態７においては、実施形態２の電子的購買システムに基づき、購入することが可能な商品のランクを取得し、そのランクと、購入を希望する商品のランクと、を比較して商品の購入の決定を行なう電子的購買システムが提供される。実施形態１３は、実施形態７の電子的購買システムの決定サーバ装置に関し、実施形態１７は、実施形態７の電子的購買システムの端末に関する。
【００７９】
（実施形態７、１３及び１７：端末の構成）
図２０は、本実施形態における端末の機能ブロック図を例示する。端末６０１は、実施形態１あるいは２の端末に、ランク取得部２００１と、ランク送信部２００２と、を備えたものになっている。
【００８０】
「ランク取得部」２００１は、購入可能商品ランク情報を取得する。「購入可能商品ランク情報」とは、購入することが可能な商品のランクを示す情報である。例えば、購入することが可能な商品の価格や用途、機能、商品の対象年齢などである。ランク取得部２００１が購入可能商品ランク情報を取得する態様としては、テンキーによる入力、キーボードによる入力、マウス操作による入力、購入可能商品ランク情報が記録された媒体からの入力などがある。
【００８１】
「ランク送信部」２００２は、ランク取得部２００１で取得された購入可能商品ランク情報を送信する。ランク送信部による購入可能商品ランク情報の送信は、例えば、ランク取得部で購入可能商品ランク情報が取得された時に行なわれてもよいし、ランク取得部で購入可能商品ランク情報が取得されてしばらく時間を経てから行なわれてもよい。また、ランク送信部は、購入可能商品ランク情報のみを送信するのではなく、商品の購入を希望する者を識別するための情報とともに送信するようになっていてもよい。
【００８２】
（実施形態７、１３及び１７：決定サーバ装置の構成）
図２１は、本実施形態における決定サーバ装置の機能ブロック図を例示する。決定サーバ装置６０２は、実施形態２の決定サーバ装置に、ランク受信部２１０１と、購入希望商品ランク取得部２１０２と、を備えたものになっている。
【００８３】
「ランク受信部」２１０１は、購入可能商品ランク情報を受信する。受信される購入可能商品ランク情報は、端末のランク送信部より送信されたものである。
【００８４】
「購入希望商品ランク取得部」２１０２は、購入希望商品ランク情報を取得する。「購入希望商品ランク情報」とは、購入を希望する商品のランクを示す情報である。例えば、図５に示す登録情報の商品ランク情報を購入希望商品ランク情報と解釈して取得する。あるいは、登録情報に購入を希望する商品を特定する情報が含まれており、この情報に基づいて、購入希望商品ランク情報を取得する。
【００８５】
本実施形態において、決定条件保持手段１２０１は、購入決定条件として、購入可能商品ランク情報と、購入希望商品ランク情報と、に基づいて商品の購入の決定をするための条件を保持する。例えば、購入可能商品ランク情報で示される商品の価格が、購入希望商品ランク情報で示される商品の価格を超えない場合に商品の購入の決定をする条件である。
【００８６】
（実施形態７、１３及び１７：決定サーバ装置の処理）
本実施形態における決定サーバ装置６０２の処理の一例としては、まずランク受信部２１０１にて、購入可能商品ランク情報を受信する。受信した購入可能商品ランク情報は、例えば、一時的に記憶されるようになっていてもよい。次に、購入希望商品ランク取得部２１０２にて、購入希望商品ランク情報を取得する。取得された購入希望商品ランク情報も、一時的に記憶されるようになっていてもよい。承認結果情報が端末より送信されると、承認結果受信部１００１において、承認結果情報を受信する。その後、決定部１００２は、決定条件保持手段１２０１より購入決定条件を読み出し、商品の購入の決定を行なう。
【００８７】
（実施形態７、１３及び１７：主な効果）
本実施形態によれば、購入が可能な商品のランクを決めることができるので、そのランクを超える商品の購入が希望されても、商品の購入の決定がされないようにすることができる。このため、商品の購入を希望するものは、承認結果情報を入力するものとコミュニケーションを取ろうとし、コミュニケーションが促進される。
【００８８】
（実施形態８）
本発明の実施形態８においては、実施形態１ないし７のいずれかの電子的購買システムに基づいて、複数の端末を備え、購入を希望する商品の選定及び承認結果情報の入力が行なえ、承認結果情報の承認が行なえるようにした電子的購買システムが提供される。
【００８９】
（実施形態８：構成）
図２２は、本実施形態における電子的購買システムの機能ブロック図を例示する。電子的購買システム２２００は、複数の端末を備え、例えば、第一端末２２０１と、第二端末２２０４と、他の端末２２０３と、がある。また、電子的購買システム２２００は、決定サーバ装置２２０６を備える。
【００９０】
第一端末２２０１は、商品選定部２２０２を有する。「商品選定部」２２０２は、購入を希望する商品の選定を行なう。したがって、商品選定部２２０２を有する第一端末によって、図４のステップＳ４０１からステップＳ４０３までが実行され、選定された結果は、決定サーバ装置２２０６へ送信される。
【００９１】
決定サーバ装置２２０６により、選定された結果が受信されると、決定サーバ装置２２０６より、他の端末２２０３へ仮決定通知などがされ、承認結果情報の受け付けが促進され、受け付けられた承認結果情報が決定サーバ装置２２０６へ送信される。なお、図２２では、他の端末２２０３は一台しか現れていないが、複数台存在していてもよい。
【００９２】
第二端末２２０４は、第二承認結果情報受付部２２０５を有する。「第二承認結果情報受付部」２２０５とは、第二承認結果情報の入力を受け付けるための部である。「第二承認結果情報」とは、他の端末２２０３にて入力を受け付けられた承認結果情報に基づいて、さらにその承認結果情報を承認するための情報である。
【００９３】
第二端末２２０４の承認結果送信部は、承認結果情報に替えて第二承認結果情報を送信する。
【００９４】
例えば、他の端末２２０３から承認結果情報が決定サーバ装置２２０６により受信されると、決定サーバ装置２２０６から第二端末２２０４へ、受信された承認結果情報が送信され、それが第二端末２２０４にて表示され、第二端末の所持者が第二承認結果情報を入力する。入力された第二承認結果情報は、第二端末の承認結果送信部より送信され、決定サーバ装置で受信され、決定部にて商品の購入が決定される。
【００９５】
また、他の端末２２０３から承認結果情報が決定サーバ装置２２０６により受信されると、決定サーバ装置２２０６で商品の購入の決定がされ、その購入の決定の結果が第二端末２２０４へ送信されるようになっていてもよい。第二端末２２０４では、受信された購入の決定の結果に対して承認を与えるために第二承認結果情報が入力されるようになっていてもよい。
【００９６】
（実施形態８：第一端末、他の端末、第二端末の所持者の例）
本実施形態において、第一端末、他の端末、第二端末の所持者の例としては、第一端末の所持者の父母が他の端末を所持し、第一端末の所持者の祖父母が第二端末を所持するようにしてもよい。このようにすることにより、孫（第一端末の所持者）の希望する商品の購入の可否が他の端末の所持者（第一端末の所持者の父母）により審査され、購入が可であれば、最終的に祖父母により購入の承認がされる。
【００９７】
また、第一端末の所持者の祖父母が他の端末を所持し、第一端末の所持者の父母が第二端末を所持するようにしてもよい。これにより、孫の希望する商品の購入の可否が祖父母により審査され、最終的な購入の承認が父母によりなされることになる。
【００９８】
（実施形態８：主な効果）
このように、他の端末と第二端末とにおける承認の性格や目的などを変えることにより、より慎重に商品の購入の決定の決定が行なわれるようにできる。
【００９９】
（実施形態１８）
本発明の実施形態１８は、購入が希望される商品の情報を表示し、購入の承認を受け付け、その承認に基づいて商品の購入の決定を行なう購買決定方法に関する。
【０１００】
（実施形態１８：構成）
本実施形態の購買決定方法は、購入商品表示ステップと、承認結果受付ステップと、決定ステップと、を含む。
【０１０１】
「購入商品表示ステップ」は、購入が希望される商品を示す情報である購入希望商品情報を表示するステップである。
【０１０２】
「承認結果受付ステップ」は、購入希望商品表示ステップにて示される商品の購入の可否を定める承認の結果を表す承認結果情報の入力を受け付ける。
【０１０３】
「決定ステップ」は、承認結果受付ステップにて受け付けられた承認結果情報に基づいて商品の購入の決定を行なう。
【０１０４】
（実施形態１８：ステップの流れ）
図２３は、本実施形態に関する購買決定方法のステップの流れを示すフローチャートを例示する。まず、購入商品表示ステップとして、購入希望商品情報を表示する（ステップＳ２３０１）。次に、承認結果受付ステップとして、承認結果情報の入力を受け付ける（ステップＳ２３０２）。そして、決定ステップとして、購入の決定を行なう（ステップＳ２３０３）。
【０１０５】
（実施形態１８：購買決定方法は、例えば、実施形態１において用いられる方法である）
したがって、本実施形態における購買決定方法は、例えば、実施形態１の電子的購買システムにおいて用いられる方法である。すなわち、購入希望商品表示部７０１が購入商品表示ステップに対応し、承認結果受付部７０２が承認結果受付ステップに対応し、決定部１００２が決定ステップに対応する。
【０１０６】
（実施形態１９）
本発明の実施形態１９は、商品の購入の決定を行なうための条件を取得するステップを含ませた購買決定方法に関する。
【０１０７】
（実施形態１９：構成）
本実施形態の購買決定方法は、実施形態１８の購買決定方法に、決定条件取得ステップを含ませたものである。
【０１０８】
「決定条件取得ステップ」とは、商品の購入を行なうための条件を取得するステップである。
【０１０９】
本実施形態においては、決定ステップにおいては、この決定条件取得ステップで取得された条件に基づいて商品の購入の決定が行なわれることを特徴とする。
【０１１０】
（実施形態１９：ステップの流れ）
図２４は、本実施形態に関する購買決定方法のステップの流れを示すフローチャートを例示する。まず、購入商品表示ステップとして、購入希望商品情報を表示する（ステップＳ２４０１）。次に、承認結果受付ステップとして、承認結果情報の入力を受け付ける（ステップＳ２４０２）。そして、決定条件取得ステップとして、決定条件を取得し（ステップＳ２４０３）、取得された決定条件に基づいて、購入の決定を行なう（ステップＳ２４０４）。
【０１１１】
（実施形態１９：購買決定方法は、例えば、実施形態２において用いられる方法である）
したがって、本実施形態における購買決定方法は、例えば、実施形態２の電子的購買システムにおいて用いられる方法である。すなわち、決定条件取得ステップは、決定条件保持手段１２０１に保持されている購入決定条件を読み出すステップに相当する。
【０１１２】
（実施形態２０）
本発明の実施形態２０は、商品の購入を希望する者のランクと購入を希望する商品のランクとに基づいて商品の購入を決定する方法に関する。
【０１１３】
（実施形態２０：構成）
本実施形態は、実施形態１９の購買決定方法に、購入希望者ランク情報取得ステップと、希望商品ランク取得ステップと、を含ませた購買決定方法である。
【０１１４】
「購入希望者ランク情報取得ステップ」とは、購入希望者ランク情報を取得するステップである。「購入希望者ランク情報」については、実施形態３において説明した通りである。
【０１１５】
「希望商品ランク取得ステップ」とは、希望商品ランク情報を取得するステップである。「希望商品ランク情報」は、実施形態３において説明した通りである。
【０１１６】
本実施形態においては、決定条件取得ステップでは、ランク購入決定条件を取得することを特徴とする。すなわち、記録されていたり、保持されていたり、入力されるランク購入決定条件を取得する。ここに「ランク購入決定条件」とは、前記希望商品ランク情報と、前記購入希望者ランク情報と、に基づいて購入の決定をするための条件である。なお、「前記希望商品ランク情報」とは、希望商品ランク取得ステップにて取得された希望商品ランク情報を意味し、「前記購入希望者ランク情報」とは、購入希望者ランク情報取得ステップにて取得された購入希望者ランク情報を意味する。
【０１１７】
（実施形態２０：ステップの流れ）
図２５は、本実施形態に関する購買決定方法のステップの流れを示すフローチャートを例示する。
【０１１８】
ステップＳ２５０１において、購入商品表示ステップとして、購入希望商品情報を表示し、ステップＳ２５０２において、承認結果受付ステップとして、承認結果情報の入力を受け付ける。ステップＳ２５０３において、購入希望者ランク情報取得ステップとして、購入希望者ランク情報を取得し、ステップＳ２５０４において、希望商品ランク情報取得ステップとして、希望商品ランク情報を取得する。ステップＳ２５０５において、決定条件を取得する。ここでいう決定条件には、実施形態１９での商品の購入の決定を行なうための条件に加えて、ランク購入決定条件が含まれる。ステップＳ２５０６において、決定ステップとして、購入の決定を行なう。
【０１１９】
（実施形態２０：ステップの別の流れ）
図２６は、本実施形態に関する購買決定方法のステップの別の流れを示すフローチャートを例示する。このフローチャートにおいては、まず、ステップＳ２６０１とステップＳ２６０２とにおいて、購入希望者ランク情報取得ステップと、希望商品ランク情報取得ステップと、が実行されるようになっている。これにより、ステップＳ２６０３における購入商品表示ステップにおいて、購入希望商品情報とともに、購入希望者ランク情報と、希望商品ランク情報と、が表示され、承認結果情報の入力の参考とすることができるようになっている。
【０１２０】
（実施形態２０：ステップの別の流れ（その２））
また、図２７は、図２６とは別の本実施形態に関する購買決定方法のステップの別の流れを示すフローチャートを例示する。このフローチャートにおいては、図２６のフローチャートと同じように、最初に購入希望者ランク情報取得ステップと、希望商品ランク情報取得ステップと、が実行される。図２６のフローチャートとの違いは、その次に、決定条件が取得される決定条件取得ステップが実行される点である（ステップＳ２７０３）。これにより、ステップＳ２７０４における購入商品表示ステップにおいて、決定条件も表示することが可能となり、決定条件を明らかに満たさない場合に、商品の購入を承認するという無駄なことを排除することが可能となる。
【０１２１】
（実施形態２１）
本発明の実施形態２１においては、商品の購入の仮決定が行なわれる購買決定方法が提供される。
【０１２２】
（実施形態２１：構成）
本実施形態においては、実施形態２０の購買決定方法の決定条件取得ステップにおいて、仮決定条件をも取得する。「仮決定条件」とは、商品の購入の仮決定を行なうための条件である。「仮決定」とは、例えば、かなりの確率（例えば、７０パーセント以上）で商品の購入の決定が予想される場合に下される判断である。
【０１２３】
本実施形態においては、決定ステップでは、決定条件取得ステップで取得された仮決定条件に基づいて商品の購入の仮決定が行なわれる。
【０１２４】
（実施形態２１：主な効果）
この仮決定に基づき、例えば、仮決定しないことに決定されれば、購入希望商品情報を表示しないことにすれば（例えば、図２７において、ステップＳ２７０４以下を実行しないようにする）、承認者の手を煩わせることがなくなる。
【０１２５】
（実施形態２２）
本発明の実施形態２２においては、仮決定に基づいて承認結果情報が受け付けられる購買決定方法が提供される。
【０１２６】
（実施形態２２：構成）
本実施形態においては、実施形態２１の購買決定方法の承認結果受付ステップは、決定ステップで行なわれた仮決定に基づいて承認結果情報を受け付けることを特徴とする。
【０１２７】
例えば、仮決定がされた場合にのみ承認結果情報を受け付ける、などである。
【０１２８】
（実施形態２２：ステップの流れ）
図２８は、本実施形態に関する購買決定方法のステップの流れを示すフローチャートを例示する。
【０１２９】
まず、ステップＳ２８０１とステップＳ２８０２において、それぞれ、購入希望者ランク情報が取得され、また、希望商品ランク情報が取得される（購入希望者ランク情報取得ステップと希望商品ランク取得ステップ）。
【０１３０】
例えば、図５に例示される登録情報に購入希望者ランク情報と希望商品ランク情報とが決定サーバ装置に格納されており、記憶手段により記憶されている登録情報が読み出されることにより、取得が行なわれる。
【０１３１】
ステップＳ２８０３において、決定条件を取得する（決定条件取得ステップ）。ここで、仮決定条件も取得される。
【０１３２】
ステップＳ２８０４において、購入希望商品情報を表示する（購入希望商品表示ステップ）。例えば、承認者の所持する端末に購入希望商品情報が表示される。
【０１３３】
ステップＳ２８０５において、決定ステップにより仮決定条件を適用し、仮決定されるかどうかを判断し、仮決定されていればステップＳ２８０６へ移行する。この仮決定は、例えば、決定サーバ装置において行なわれ、その結果が端末へ送信される。
【０１３４】
ステップＳ２８０６において、承認結果情報の入力を受け付ける（承認結果受付ステップ）。例えば、承認者の所持する端末に、仮決定されたことを表示し、承認結果情報の入力を促し、承認者が入力する承認結果情報を受け付ける。
【０１３５】
ステップＳ２８０７において、購入の決定を行なう。例えば、承認結果情報を端末から決定サーバ装置へ送信し、決定サーバ装置において、購入の決定を行なう。
【０１３６】
なお、図２８に示したフローチャートは、ステップの流れの一例を示したものである。ステップＳ２８０３において、決定条件が取得された後に、仮決定の判断を行い、仮決定されたならば、購入希望商品情報を表示し、承認結果情報の入力を受け付け、購入の決定を行なうようになっていてもよい。
【０１３７】
（実施形態２２：主な効果）
本実施形態によれば、仮決定の結果とともに購入希望商品情報が表示されれば、承認者が、どのような場合に仮決定がされるか、あるいは、仮決定がされないかを知ることができる。また、仮決定がされなければ、購入希望商品情報が表示されないようにすれば、仮決定がされない場合において、承認者の手を煩わせることがなくなる。
【０１３８】
（実施形態２３）
本発明の実施形態２３においては、購入希望者にメッセージが提示される購買決定方法が提供される。
【０１３９】
（実施形態２３：構成）
本実施形態は、実施形態２２の購買決定方法において、承認結果情報にメッセージが含まれるようにしたものである。このメッセージは、決定ステップで購入が決定される商品に添付されて購入希望者に提示される。
【０１４０】
例えば、承認結果情報を入力する画面に、商品購入者へのメッセージが入力できる部分を表示し、そこに、メッセージが入力できるようにしておく。承認者が承認結果情報とメッセージの入力を行い、送信のための操作を行なうと、承認結果情報とメッセージとが、決定サーバ装置へ送信される。
【０１４１】
このメッセージには、例えば、商品の購入を承認する場合には、「おめでとう」という祝賀を意味するものがあり、商品の購入を承認しない場合には、「次回はがんばりましょう」という励ましのためのものがある。
【０１４２】
また、決定ステップにおいて商品の購入が決定される場合には、商品を購入することを承認しない承認結果情報に含まれるメッセージを商品購入希望者に提示しないようにしたり、また、商品の購入が決定されない場合には、商品を購入することを承認する承認結果情報に含まれるメッセージを商品購入希望者に提示しないようにしたりしてもよい。
【０１４３】
（実施形態２３：主な効果）
本実施形態によれば、承認結果情報に商品購入希望者へのメッセージが含まれるので、承認者と商品購入希望者とのコミュニケーションを促進することができる。
【０１４４】
（実施形態２４）
本発明の実施形態２４においては、承認結果情報には端末を識別する情報が含まれ、その情報に基づいて、決定条件がされる購買決定方法が提供される。
【０１４５】
（実施形態２４：構成）
本実施形態の購買決定方法は、実施形態１８の購買決定方法において、承認結果受付ステップは、端末より承認結果情報を受け付け、その承認結果情報には、承認結果情報を受け付けた端末を識別する識別情報が含まれることを特徴とする。識別情報としては、例えば端末が携帯電話であれば、その電話番号を例として挙げることができる。
【０１４６】
また、本実施形態において、決定条件取得ステップでは、識別情報に関連付けられた決定条件が取得されることを特徴とする。例えば、識別情報と決定条件とが図２９に例示されるように、表の形式で格納され、表の一行により、識別情報と決定条件が関連付けられているようになっていてもよい。
【０１４７】
（実施形態２４：主な効果）
本実施形態によれば、端末に応じた決定条件により、商品の購入の決定を行なうことが可能となる。例えば、端末の所持者に応じた決定を行なうことが可能となる。
【０１４８】
（実施形態２５）
本発明の実施形態２５においては、承認結果情報に、人的な関係を示す情報が含まれる購買決定方法が提供される。
【０１４９】
（実施形態２５：構成）
本実施形態においては、実施形態１９の購買決定方法において、承認結果情報には、人的関係情報を含む。「人的関係情報」とは、その承認結果情報の入力を行なう人と、その承認に基づいてなされるべき購入の決定のために利用される他の承認結果情報の入力を行なう人との人的関係を示す情報である。なお、この人的関係情報は、承認結果情報の入力が受け付けられる際に、承認結果情報に含まれる必要はなく、決定ステップが処理されるまでに含まれるようになっていればよい。
【０１５０】
例えば、承認結果情報の入力を行なう人が、親族関係にある場合には、その親族関係上での位置を示す情報が人的関係情報である。また、会社などの組織であれば、その組織上での位置を示す情報が人的関係情報である。
【０１５１】
この人的関係情報は、例えば、承認結果情報を入力する際に同時に入力される。あるいは、端末を識別する情報により示されてもよい。この場合には、図５に示される登録情報に格納される発信者番号と被処理者種別とにより、端末を識別する情報から人的関係情報が取得されるようになっていてもよい。
【０１５２】
本実施形態において、決定条件取得ステップにおいては、人的関係情報に基づいて、商品の購入の決定を行なうための条件が取得される。
【０１５３】
例えば、商品の購入を希望する者の親により承認結果情報が入力された場合には、それに応じた条件が取得される。また、会社などの組織では、代表権を持つ取締役が承認結果情報を入力した場合や、代表権を持たない取締役などが承認結果情報を入力した場合に応じて、条件が取得される。
【０１５４】
（実施形態２５：主な効果）
本実施形態によれば、承認結果情報を入力した者に応じて、商品の購入の決定を行なう条件を変化させることができる。これにより、例えば、承認結果情報を入力した者の発言権の大小に応じて、商品の購入の決定をすることができる。
【０１５５】
（実施形態２６）
本発明の実施形態２６においては、例えば、多数決の原理に基づいて商品の購入の決定がされる購買決定方法が提供される。
【０１５６】
（実施形態２６：構成と主な効果）
本実施形態の購買決定方法は、実施形態１９の購買決定方法の決定条件取得ステップにおいて、商品の購入を可とする承認結果情報の数と、商品の購入を否とする承認結果情報の数と、の関係に基づいて商品の購入の決定を行なうための条件を取得する。
【０１５７】
例えば、商品の購入を可とする承認結果情報の数が商品の購入を否とする承認結果情報の数より多い場合に、商品の購入の決定を行なうという条件が取得されるようになっていれば、多数決の原理に基づいて商品の購入の決定を行なうことができる。これにより、公正に決定がされるようにすることができる。
【０１５８】
また、商品の購入を可とする承認結果情報の数が商品の購入を否とする承認結果情報の数と同じであれば、特定の人の承認結果情報に基づいて商品の購入の決定を行なうようにすることもでき、多くの会議で実施されているように、賛否同数であれば、議長の決するものに決定するようにできる。
【０１５９】
（実施形態２７）
本発明の実施形態２７は、承認結果情報に重み付けをして商品の購入を決定する購買決定方法に関する。
【０１６０】
（実施形態２７：構成と主な効果）
本実施形態の購買決定方法は、実施形態１９の購買決定方法の決定条件取得ステップにおいて、商品の購入を可とする承認結果情報と、商品の購入を否とする承認結果情報と、に割り当てられたポイントに基づいて商品の購入の決定を行なうための条件を取得する。
【０１６１】
例えば、承認結果情報を入力する人にポイントを割り当てておき、その人が入力した承認結果情報のポイントを、割り当てられたポイントとしておいておき、可とする承認結果情報のポイントの合計と否とする承認結果情報のポイントの合計とに応じて、商品の購入を決定する条件を取得するようにしてもよい。これにより、株式会社の株主総会において、所有する株式数に応じて議決がされるように、人に割り当てられたポイントに応じて商品の購入を決定することが可能となる。
【０１６２】
また、高価な商品の購入の決定を行なう場合には、商品の購入を可とする承認結果情報に割り当てられたポイントの合計が、商品の購入を否とする承認結果情報に割り当てられたポイントの合計を圧倒的に上回る（例えば、可とする承認結果情報のポイント合計が、否とする承認結果情報のポイント合計の３倍以上）とするようにしてもよい。これにより、商品の購入の決定を慎重なものにすることができる。
【０１６３】
（実施形態２８）
本発明の実施形態２８においては、承認結果情報の送信を促す情報を送信する規則が取得される購買決定方法が提供される。
【０１６４】
（実施形態２８：構成）
本実施形態においては、実施形態１９の購買決定方法の決定条件取得ステップにおいて、催促送信規則を取得する。「催促送信規則」とは、催促情報を承認主体に対して送信する規則である。「催促情報」とは、承認結果情報の送信を促すための情報である。
【０１６５】
本実施形態においては、決定条件取得ステップは、図２７に例示されるフローチャートのように、決定条件を取得する決定条件取得ステップ（ステップＳ２７０３）が、承認結果情報の入力を受け付けるステップ（ステップＳ２７０５）より前に実行される必要がある。決定条件取得ステップにおいて、催促送信規則が取得され、それに基づいて、催促情報が送信され、その後に承認結果情報の入力が行なわれるようになる。
【０１６６】
催促送信規則の例としては、例えば、承認結果情報を入力しない傾向にある承認主体に催促情報を送信するものがある。「承認結果情報を入力しない傾向」とは、これまでの承認結果情報の履歴に基づいて、例えば、承認結果情報の入力回数が、他の承認主体の承認結果情報の入力回数の半数以下であることを意味する。
【０１６７】
また、催促送信規則の別の例としては、承認主体へ催促情報を送信する時間や順序を指定する規則がある。例えば、Ａという承認主体へ催促情報を送信して一時間後にＢという承認主体へ催促情報を送信することを規定した規則がある。また、催促情報を送信してから、三時間が経過しても承認結果情報が入力されない場合には、催促情報を再度送信することを規定する規則がある。
【０１６８】
（実施形態２９）
本発明の実施形態２９は、実施形態２８における購買決定方法において、催促送信規則が、催促情報を承認主体へ順次に送信する規則を含むことを特徴とした購買決定方法に関する。
【０１６９】
例えば、Ａという承認主体へ催促情報を送信した後にＢという承認主体へ催促情報を送信するという催促送信規則がある。
【０１７０】
また、単に催促情報を送信することを規定した規則ではなく、Ａという承認主体に対して催促情報を送信し、Ａによる承認結果情報が受け付けられた後に、Ｂという承認主体に対して催促情報を送信するような規則であってもよい。この場合において、Ｂという承認主体には、それまでに受け付けられた承認結果情報が催促情報とともに送信されるようになっていてもよい。これにより、Ｂという承認主体は、それまでの承認結果情報を参照して承認結果情報を入力することが可能となる。
【０１７１】
このような順次に送信することを実現するためには、例えば、催促情報を送るべき全ての承認主体を、催促情報を送る順序に従って蓄積しておき、また、最後に催促情報を贈った承認主体がどれであるかも蓄積するようにしておく。承認主体から承認結果情報が受け付けられると、その承認主体が、蓄積されている最後に催促情報を送信した承認主体と一致するかどうかを判断し、もし一致するならば、蓄積された承認主体の順序を読み出し、次の承認主体を決定して催促情報を送信する。
【０１７２】
（実施形態３０）
本発明の実施形態３０は、実施形態２８における購買決定方法において、催促送信規則が、催促情報を承認主体へ一斉に送信する規則を含むことを特徴とした購買決定方法に関する。「一斉」とは、同時に、あるいは、時間の差異が小さいことをいう。
【０１７３】
これにより、例えば、一番早く受け付けられた承認結果情報により商品の購入を決定することが可能となる。
【０１７４】
【発明の効果】
以上のように、本発明によれば、端末により受け付けられた承認結果情報に基づいて商品の購入が決定されるので、承認の事後の審査が行なわれて購入の決定がされ、安易な購入を避けることができる。
【図面の簡単な説明】
【図１】情報や商品の流れを示して本発明の概念を説明する図
【図２】システムの全体を示して本発明の概念を説明する図
【図３】処理の概要を示して本発明の概念を説明する図
【図４】本発明の実施におけるシーケンス図
【図５】本発明のためのデータ構造の一例図
【図６】実施形態１における電子的購買システムの機能ブロック図
【図７】実施形態１における端末の機能ブロック図
【図８】端末を実現する携帯端末の一例図
【図９】実施形態１における端末での処理を説明するフローチャート
【図１０】実施形態１における決定サーバ装置の機能ブロック図
【図１１】実施形態１における決定サーバ装置での処理を説明するフローチャート
【図１２】実施形態２及び９における決定サーバ装置の機能ブロック図
【図１３】実施形態３及び１４における端末の機能ブロック図
【図１４】実施形態３及び１０における決定サーバ装置の機能ブロック図
【図１５】登録情報ごとに購入希望者ランク情報と希望商品ランク情報とを対応付けて格納している表の一例図
【図１６】実施形態４及び１１における決定サーバ装置の機能ブロック図
【図１７】購入が決定されたかどうかを蓄積する表の一例図
【図１８】実施形態５及び１２における決定サーバ装置の機能ブロック図
【図１９】実施形態５及び１５における端末の機能ブロック図
【図２０】実施形態７及び１７における端末の機能ブロック図
【図２１】実施形態７及び１３における決定サーバ装置の機能ブロック図
【図２２】実施形態８における電子的購買システムの機能ブロック図
【図２３】実施形態１８に関する購買決定方法のステップの流れを示すフローチャート
【図２４】実施形態１９に関する購買決定方法のステップの流れを示すフローチャート
【図２５】実施形態２０に関する購買決定方法のステップの流れを示すフローチャート
【図２６】実施形態２０に関する購買決定方法のステップの流れを示す別のフローチャート
【図２７】実施形態２０に関する購買決定方法のステップの流れを示す別のフローチャート
【図２８】実施形態２２に関する購買決定方法のステップの流れを示すフローチャート
【図２９】識別情報と決定条件とを関連付けて格納する表の一例図
【符号の説明】
１０１　商品購入希望者
１０２　承認者
１０３　決定サーバ装置
１０４　商店等
【図１】
2004110307.tif 000003
【図２】
2004110307.tif 000004
【図３】
2004110307.tif 000005
【図４】
2004110307.tif 000006
【図５】
2004110307.tif 000007
【図６】
2004110307.tif 000008
【図７】
2004110307.tif 000009
【図８】
2004110307.tif 000010
【図９】
2004110307.tif 000011
【図１０】
2004110307.tif 000012
【図１１】
2004110307.tif 000013
【図１２】
2004110307.tif 000014
【図１３】
2004110307.tif 000015
【図１４】
2004110307.tif 000016
【図１５】
2004110307.tif 000017
【図１６】
2004110307.tif 000018
【図１７】
2004110307.tif 000019
【図１８】
2004110307.tif 000020
【図１９】
2004110307.tif 000021
【図２０】
2004110307.tif 000022
【図２１】
2004110307.tif 000023
【図２２】
2004110307.tif 000024
【図２３】
2004110307.tif 000025
【図２４】
2004110307.tif 000026
【図２５】
2004110307.tif 000027
【図２６】
2004110307.tif 000028
【図２７】
2004110307.tif 000029
【図２８】
2004110307.tif 000030
【図２９】
2004110307.tif 000031